(57)【要約】【課題】天井や壁面に使用される換気送風機器に使用される送風装置において、天井埋め込み形換気扇の吸込口より上部にサイクロン吸込口を作ることで、天井面からの出っ張りを抑制し、サイクロン式で集塵効率が高いので、羽根車への塵の付着を大幅に抑制することを目的とする。【解決手段】スクロール状の本体１と、羽根車３により吸込まれる空気の円筒状の本体吸込口４と、本体吸込口４から吸込まれた空気を排気する吐出口５と、天井６の開口部に設置された屋内側吸込口７から吸込んだ空気が吸込流路８を通って、サイクロン吸込口９へ流入する構成からなっており、天井埋め込み形換気扇の吸込口より上部にサイクロン吸込口を作ることで、換気扇吸込口から下方への出っ張りを抑制したサイクロン式集塵機を設置し、吸込み気流中の塵を集塵するため、天井面からの出っ張りを抑制することで、圧迫感が抑制され、羽根車への塵の付着を抑制することがでる。【選択図】図１
2012026419.tif 000002
【特許請求の範囲】
【請求項１】
スクロール状の本体に、電動機によって駆動される羽根車と、前記羽根車により吸込まれる空気の円筒状の本体吸込口と、前記本体吸込口から吸込まれた空気を前記羽根車により吐出する吐出口と、前記本体の外周に、円錐筒と、この円錐筒にサイクロン吸込口、この円錐筒の下方に集塵室を備え、前記本体吸込口より上方に前記サイクロン吸込口があることを特徴とする送風装置。
【請求項２】
集塵室に溜まった塵を排出する排出手段を備えた請求項１に記載の送風装置。
【請求項３】
排出手段は、吐出口から屋外に連結したダクトと集塵室をパイプで繋げ、前記パイプ内部に備えた補助送風機である請求項１から２に記載の送風装置。
【請求項４】
排出手段は、集塵室に備えた取り出し可能な集塵皿である請求項１から２に記載の送風装置。
【請求項５】
円錐筒に消音機構を設けた請求項１から４に記載の送風装置。
【請求項６】
消音機構は、円錐筒の内周に貼り付けた吸音材である請求項５に記載の送風装置。
【請求項７】
消音機構は、円錐筒の材質が遮音材である請求項５に記載の送風装置。
【請求項８】
本体吸込口と円錐筒の間に照明を備えた請求項１から７に記載の送風装置。
【請求項９】
人検知手段を備え、前記人検知手段で人を検知すると照明が点灯する請求項８に記載の送風装置。
【発明の詳細な説明】
【技術分野】
【０００１】
本発明は、天井や壁面に使用される換気送風機器に使用される送風装置に関するものである。
【背景技術】
【０００２】
従来、この種の送風装置は、本体に取り付けられた電動機に送風機を取り付け、本体吸込み側を屋内に設置して、本体吐出し側をダクトに連結させ屋外に排気する送風装置が知られている。（例えば、特許文献１参照）。
【０００３】
以下、その送風装置について図１０を参照しながら説明する。
【０００４】
図１０に示すように、送風装置の本体１０１に電動機１０２が取り付けられ、電動機１０２に羽根車１０３が取り付けられており、本体吸込口１０４を屋内側、本体吐出口１０５にダクト１０６に連結させて屋外側へ設置されている。
【０００５】
上記構成において、羽根車１０３が電動機１０２により回転することで、風を発生させ、本体吸込口１０４から空気を吸込み、本体吐出口１０５から排気し、ダクト１０６を通して屋外へ空気を排気するように使用される。
【先行技術文献】
【特許文献】
【０００６】
【特許文献１】特開２００５−２７３５２９号公報（第５頁、第４図）
【発明の概要】
【発明が解決しようとする課題】
【０００７】
このような従来の送風装置では、羽根車に塵が付着し、性能低下や騒音上昇の原因になるため、羽根車に塵が付かないよう羽根車の吸い込み側で集塵を行う場合、吸い込み側が大きく出っ張ってしまい圧迫感が出るという課題を有していた。
【０００８】
そこで本発明は、このような従来の課題を解決するものであり、天井埋め込み形換気扇の吸込口より上部にサイクロン吸込口を作ることで、天井面からの出っ張りを抑制し、サイクロン式で集塵効率が高いので、羽根車への塵の付着を大幅に抑制することができることを目的とする。
【課題を解決するための手段】
【０００９】
そして、この目的を達成するために、本発明は、天井埋め込み形換気扇の吸込口より上部にサイクロン吸込口のある構成を有する送風装置であり、これにより所期の目的を達成するものである。
【発明の効果】
【００１０】
本発明によれば、スクロール状の本体に、電動機によって駆動される羽根車と、羽根車により吸込まれる空気の円筒状の本体吸込口と、本体吸込口から吸込まれた空気を羽根車により吐出する吐出口と、本体の外周に円錐筒と、円錐筒にサイクロン吸込口、円錐筒の下方に集塵室を備え、本体吸込口より上方にサイクロン吸込口がある構成を有する。これにより、天井埋め込み形換気扇の吸込口より上部にサイクロン吸込口を作ることで、換気扇吸込口から下方への出っ張りを抑制したサイクロン式集塵機を設置し、吸込み気流中の塵を集塵するため、天井面からの出っ張りを抑制することで、圧迫感が抑制され、サイクロン式で集塵効率が高いので、羽根車への塵の付着を大幅に抑制することができ、羽根車の掃除の回数を低減することができる。
【図面の簡単な説明】
【００１１】
【図１】本発明の実施の形態１の送風装置を示す側面断面図
【図２】同送風装置を示す斜視図
【図３】同送風装置を示す側面断面図
【図４】同送風装置を示す正面図
【図５】本発明の実施の形態２の送風装置を示す側面断面図
【図６】同送風装置を示す側面断面図
【図７】同送風装置を示す側面断面図
【図８】本発明の実施の形態３の送風装置を示す側面断面図
【図９】本発明の実施の形態４の送風装置を示す側面断面図
【図１０】従来の送風装置を示す側面図
【発明を実施するための形態】
【００１２】
本発明の請求項１記載の送風装置は、スクロール状の本体に、電動機によって駆動される羽根車と、羽根車により吸込まれる空気の円筒状の本体吸込口と、本体吸込口から吸込まれた空気を羽根車により吐出する吐出口と、本体の外周に円錐筒と、円錐筒にサイクロン吸込口、円錐筒の下方に集塵室を備え、本体吸込口より上方にサイクロン吸込口がある構成を有する。
【００１３】
これにより、天井埋め込み形換気扇の吸込口より上部にサイクロン吸込口を作ることで、換気扇吸込口から下方への出っ張りを抑制したサイクロン式集塵機を設置し、吸込み気流中の塵を集塵するため、天井面からの出っ張りを抑制することで、圧迫感が抑制され、サイクロン式で集塵効率が高いので、羽根車への塵の付着を大幅に抑制することができ、羽根車の掃除の回数を低減することができるという効果を奏する。
【００１４】
また、集塵室に溜まった塵を排出する排出手段を備えた構成にしてもよい。これにより、集塵室に溜まった塵を排出することができ、集塵室からあふれた塵を吸込むことを抑制することができるという効果を奏する。
【００１５】
また、排出手段は、吐出口から屋外に連結したダクトと集塵室をパイプで繋げ、パイプ内部に備えた補助送風機である構成にしてもよい。これにより、補助送風機により集塵室に溜まった塵がダクトを経由して屋外へ排出されるため、塵を排出することで、集塵室からあふれた塵を吸込むことを抑制することができるという効果を奏する。
【００１６】
また、排出手段は、集塵室に備えた取り出し可能な集塵皿という構成にしてもよい。これにより、集塵皿を取り出すことで、集塵室に溜まった塵を排出することができるため、集塵室からあふれた塵を吸込むことを抑制することができるという効果を奏する。
【００１７】
また、円錐筒に消音機構を設けた構成にしてもよい。これにより、円錐筒に設けた消音機構により、送風装置の音を低減することができるため、送風装置の音を低減することで、室内が静かになるという効果を奏する。
【００１８】
また、消音機構は、円錐筒の内周に貼り付けた吸音材という構成にしてもよい。これにより、円錐筒に吸音材を貼ることで、送風装置の音を低減することができるため、送風装置の音を低減することで、室内が静かになるという効果を奏する。
【００１９】
また、消音機構は、円錐筒の材質が遮音材であるという構成にしてもよい。これにより、送風装置の音を低減することができるため、送風装置の音を低減することで、室内が静かになるという効果を奏する。
【００２０】
また、本体吸込口と円錐筒の間に照明を備えた構成にしてもよい。これにより、本体吸込口と円錐筒との間の空いた空間に照明を設置することで、空間の有効利用をすることができるという効果を奏する。
【００２１】
また、人検知手段を備え、人検知手段で人を検知すると照明が点灯する構成にしてもよい。これにより、人を検知して、照明を自動で点灯することができるため、スイッチを押す手間が省けるという効果を奏する。
【００２２】
以下、本発明の実施の形態について図面を参照しながら説明する。
【００２３】
（実施の形態１）                    
図１〜図４に示すように、送風装置は、スクロール状の本体１と、電動機２と、電動機２の軸に取り付けた羽根車３と、羽根車３により吸込まれる空気の円筒状の本体吸込口４と、本体吸込口４から吸込まれた空気を羽根車３により排気する吐出口５と、天井６の開口部に設置された屋内側吸込口７から吸込んだ空気が吸込流路８を通って、サイクロン吸込口９へ流入し、本体１の外周に円錐筒１０と、円錐筒１０の下方に設置した集塵室１１から構成されている。天井６の開口部に設置された屋内側吸込口７から吸込まれた空気は、吸込流路８を通りサイクロン吸込口９へ流れ、サイクロン吸込口９から円錐筒１０へ流入し、円錐筒１０の内面に沿って、旋回しながら下降していく。円錐筒１０の下部へ到達した気流は、上方の本体吸込口４へ流入して吐出口５へ流出し、吐出口５に接続したダクト１２を経由して屋外へ排出される。円錐筒１０で下方に流れた空気が、本体吸込口４へ上方に向きを変えて流れる際、粉塵は流れの変化に追随できず、下方へと落下し、集塵室１１へ溜まる。
【００２４】
本実施の形態では、羽根車３は遠心送風機であり、例えば、羽根車３の外径を１５０ｍｍ、高さ１００ｍｍ、本体吸込口の外径を８０ｍｍ、高さ５０ｍｍ、円錐筒１０の上部の外径を４５０ｍｍ、下部の外径を１００ｍｍ、高さ２５０ｍｍ、集塵室１１の外径を１２５ｍｍ、高さ２０ｍｍとすると、天井６から集塵室１１までの高さは１００ｍｍであり、天井６の上部に円錐筒１０を埋めることができ、天井６からの円錐筒１０の突き出しが１５０ｍｍ抑制することができる。
【００２５】
図２のように、吸込み空気は天井６にある３箇所の屋内側吸込口７から吸い込まれる。屋内側吸込口７は、例えば、３０ｍｍ×１００ｍｍである。
【００２６】
図３のように、屋内側吸込口７から流入した空気は、円錐筒１０の上部に開口した、屋内側吸込口７より上方に設けたサイクロン吸込口９から円錐筒１０の内面の接線方向に流入し、旋回流となり円錐筒１０の内壁面に沿って下方へ流れる。下方へ流れた気流は、羽根車３の回転による吸込みの作用で、本体吸込口４に吸込まれ、吐出口５より吐出され、ダクト１２を通じて屋外へ排出される。その際、粉塵は流れの変化に追随できず、下方へと落下し、集塵室１１へ溜まり、粉塵のない気流が、羽根車３を通過するので、羽根車３が汚れることはなく、掃除や、風量の低下や騒音上昇が軽減される。
【００２７】
また、図４のように、天井６から突き出ているのは、円錐筒１０と集塵室１１であるが、天井６から集塵室１１までの高さは１００ｍｍであり、図１に示すように、天井６の上部、すなわちサイクロン吸込口９から下方の屋内側吸込口７までの間隔に円錐筒１０を埋めることができ、天井６からの円錐筒１０の突き出しが１５０ｍｍ抑制することができるため、圧迫感が抑制される。
【００２８】
（実施の形態２）          
図５〜７において、実施の形態１と同一の部分は同一符号を付し、その詳細な説明は省略する。
【００２９】
図５において、集塵室１１は吐出し側の吐出口５にパイプ１３を通じて連結されており、パイプ１３の内部に補助送風機が内蔵されている。パイプ１３は、例えば、内径２０ｍｍで、円錐筒１０の外周に接するように設置することで、パイプ１３を固定し、目立たなくすることができる。集塵室１１に集まった塵は、補助送風機１４の送風作用により、パイプ１３を経由して吐出側に搬送され、ダクト１２を経由して、屋外へ排出される。屋外へ集塵室１１に溜まった塵を排出することで、集塵室１１からあふれた塵を本体吸込口４から吸込み、羽根車３に塵が付着するのを防ぐことができる。
【００３０】
また、図６のように集塵室１１の内部に集塵皿１５を設置することで塵を集塵皿１５にため、図７のように、集塵室１１から集塵皿１５を取り出すことが可能で、集塵皿１５を取り出して、集塵皿１５に溜まった塵を捨てることで、集塵室１１からあふれた塵を本体吸込口４から吸込み、羽根車３に塵が付着するのを防ぐことができる。
【００３１】
（実施の形態３）
図８において、実施の形態１と同一の部分は同一符号を付し、その詳細な説明は省略する。
【００３２】
図８において、円錐筒１０の内側に吸音材１６を添付することで、羽根車３の音が室内に放射することを抑制することができる。吸音材は、円錐筒１０の内側全体に添付するよりも、天井６より下部の円錐筒１０の内側に添付することで、室内側への音の放射を抑制が同等で、材料費を削減することができる。羽根車３の室内への音の放射の抑制することで、室内空間を静かに保つことができる。
【００３３】
また、円錐筒１０の材質を遮音材にすることでも作用効果に差はない。
【００３４】
（実施の形態４）
図９において、実施の形態１と同一の部分は同一符号を付し、その詳細な説明は省略する。
【００３５】
図９において、本体１と円錐筒１０の間に照明１７を設置する、例えば、本体１の本体吸込口４の近傍に照明１７を設置することで、１０の内面に沿った旋回流れを阻害することがなく、空いた空間を有効利用できる。
【００３６】
また、人検知手段１８を集塵室１１の下部に取り付けることで、人検知手段１８で人を検知した際、自動で照明１７を点灯することで、スイッチを押す手間が省ける。人検知手段は、例えば、赤外線センサにより人が放出する赤外線を検知するものを使用し、または、カメラにより、人の動作を検知するものでもよい。
【産業上の利用可能性】
【００３７】
本発明にかかる送風装置は、天井埋め込み形換気扇の吸込口より上部にサイクロン吸込口を作ることで、天井面からの出っ張りを抑制し、サイクロン式で集塵効率が高いので、羽根車への塵の付着を大幅に抑制することができるため、換気扇に適応できる。
【符号の説明】
【００３８】
１    本体
２    電動機
３    羽根車
４    本体吸込口
５    吐出口
６    天井
７    屋内側吸込口
８    吸込流路
９    サイクロン吸込口
１０  円錐筒
１１  集塵室
１２  ダクト
１３  パイプ
１４  補助送風機
１５  集塵皿
１６  吸音材
１７  照明
１８  人検知手段
【図１】
2012026419.tif 000003
【図２】
2012026419.tif 000004
【図３】
2012026419.tif 000005
【図４】
2012026419.tif 000006
【図５】
2012026419.tif 000007
【図６】
2012026419.tif 000008
【図７】
2012026419.tif 000009
【図８】
2012026419.tif 000010
【図９】
2012026419.tif 000011
【図１０】
2012026419.tif 000012